(57)【特許請求の範囲】
【請求項１】
第一の糸に貫通されて正面視涙滴型に係合された複数の第一の石からなる第一環状体と、
第二の糸に貫通されて正面視涙滴型に係合された複数の第二の石からなる第二環状体と、を備え、
前記第二環状体の鋭角を構成する頂上部が、前記第一環状体の背面側から正面側に挿通された状態で、前記第一環状体の鋭角を構成する頂上部よりも正面側で同一リングに係合され、
前記第二環状体の底部は、前記第一環状体の底部に対して、下方かつ背面側に配置された状態で、
前記第一環状体と前記第二環状体との配置関係は安定的に維持される
ことを特徴とする宝飾体。
【請求項２】
請求項１に記載の宝飾体において、
正面視涙滴型の前記第二環状体は、その最大膨らみ部位より上方において前記第一環状体と交差して２点で当接する
ことを特徴とする宝飾体。
【請求項３】
請求項１または請求項２に記載の宝飾体において、
前記第二環状体は、前記第一環状体よりも大きい
ことを特徴とする宝飾体。
【請求項４】
請求項１乃至請求項３のいずれか一項に記載の宝飾体において、
前記第二の糸は、前記第一の糸よりも長い
ことを特徴とする宝飾体。
【請求項５】
請求項１乃至請求項４のいずれか一項に記載の宝飾体において、
前記第二の石の数は、前記第一の石の数よりも多い
ことを特徴とする宝飾体。
【請求項６】
請求項１乃至請求項５のいずれか一項に記載の宝飾体において、
正面視涙滴型の前記第二環状体の頂上部は、正面視涙滴型の前記第一環状体の頂上部よりも下方に位置する
ことを特徴とする宝飾体。
【請求項７】
請求項１乃至請求項６のいずれか一項に記載の宝飾体において、
前記第一の石と前記第二の石とは、誕生石の少なくともいずれか一つと、誕生日石の少なくともいずれか一つと、星座石の少なくともいずれか一つと、を含む
ことを特徴とする宝飾体。
【請求項８】
請求項７に記載の宝飾体において、
前記誕生石は、前記誕生日石の該当日に対応する石であり、
前記星座石は、前記誕生日石の該当日に対応する石である
ことを特徴とする宝飾体。
【請求項９】
請求項１乃至請求項８のいずれか一項に記載の宝飾体において、
前記第二環状体の鋭角を構成する頂上部は、前記第一環状体の背面側から正面側に挿通された状態で、前記第一環状体の鋭角を構成する頂上部よりも正面側で脱着可能に係合される
ことを特徴とする宝飾体。
【請求項１０】
請求項１乃至請求項９のいずれか一項に記載の宝飾体を備える
ことを特徴とするストラップ。
【請求項１１】
請求項１乃至請求項９のいずれか一項に記載の宝飾体を備える
ことを特徴とする身体装飾具。
【発明の詳細な説明】
【技術分野】
【０００１】
本発明は、容易に立体的な構成を提供可能な宝飾体と宝飾体を用いたストラップ及び身体装飾具とに関する。
【背景技術】
【０００２】
下記特許文献１には、半球状の宝石あるいは真珠などを材料に加工される宝飾体と、この宝飾体を用いたネックレスやブレスレットあるいはペンダントなどの装身具、さらにその宝飾体の製造方法に関する発明であって、簡単な構造で半球状の宝飾体を連結するための糸の貫通路の形成の自由度を高めることを可能とし、また宝飾体自身の回転を防止し、さらに宝飾体同士の複雑な連結を可能として審美性や芸術性を高めながら、しかも装身具のリフォームをも可能とする宝飾体と装身具と宝飾体の製造方法を提供することを解決課題とする発明が記載されている。
【０００３】
具体的には、半球形の宝飾部と、この宝飾部の底面に接着される台座と、この台座に形成された溝部に収納されるチューブとを有する宝飾体とすることにより、台座に形成された溝部にチューブを収納することによって、そのチューブの中には宝飾部と台座を接着させる接着剤が流入することがなく、糸を自由に挿通させて糸に沿った方向へ移動させることができるという作用を有し、チューブの形状によって糸の台座内貫通路の形成の自由度を高めるという作用を有することが記載されている。
【先行技術文献】
【特許文献】
【０００４】
【特許文献１】特開２００２−２８２０２５号公報
【発明の概要】
【発明が解決しようとする課題】
【０００５】
従来の宝飾体は、立体的にボリュームを持たせるように簡易な構造で構成したものはなく、その宝飾体を構成する石の材料も単なる外観や経済的な価値から選択されたものであり、意味づけが為されていなかった。
【０００６】
本願発明は、上述の問題点に鑑み為された発明であって、誕生日石、当該誕生日石の該当日に対応する誕生石並びに星座石の３種類の石を含む意味付けされた宝飾体を提案することを目的とし、さらに好ましくは容易な構成で簡易に立体的に組み立て可能な宝飾体とその宝飾体を用いたストラップ等を提供することを目的とする。
【課題を解決するための手段】
【０００７】
本発明の宝飾体は、第一の糸に貫通されて正面視涙滴型（ティアドロップ型）に係合された複数の第一の石からなる第一環状体と、第二の糸に貫通されて正面視涙滴型に係合された複数の第二の石からなる第二環状体と、を備え、第二環状体の鋭角を構成する頂上部が、第一環状体の背面側から前面側に挿通された状態で、第一環状体の鋭角を構成する頂上部よりも正面側で同一リングに係合されることを特徴とする。ここで、糸とは、いわゆる当業者においてビーズである複数の石を係合する場合に使用する、ワイヤーやテグス、ゴム紐等の係合部材を含むものとする。また、ここでいう石とは、典型的にはビーズであり、さらには典型的には天然石のビーズである。
【０００８】
また、本発明の宝飾体は、好ましくは正面視涙滴型の第二環状体が、その最大膨らみ部位より上方において第一環状体と交差して２点で当接することを特徴とする。
【０００９】
また、本発明の宝飾体は、さらに好ましくは第二環状体が、第一環状体よりも大きいことを特徴とする。
【００１０】
また、本発明の宝飾体は、さらに好ましくは第二の糸が、第一の糸よりも長いことを特徴とする。
【００１１】
また、本発明の宝飾体は、さらに好ましくは第二の石の数が、第一の石の数よりも多いことを特徴とする。
【００１２】
また、本発明の宝飾体は、さらに好ましくは正面視涙滴型の第二環状体の頂上部が、正面視涙滴型の第一環状体の頂上部より下方に位置することを特徴とする。
【００１３】
また、本発明の宝飾体は、さらに好ましくは第一の石と第二の石とが、誕生石の少なくともいずれか一つと、誕生日石の少なくともいずれか一つと、星座石の少なくともいずれか一つと、を含むことを特徴とする。
【００１４】
また、本発明の宝飾体は、さらに好ましくは誕生石が、誕生日石の該当日に対応する石であり、星座石は、誕生日石の該当日に対応する石であることを特徴とする。
【００１５】
また、本発明の宝飾体は、さらに好ましくは第二環状体の鋭角を構成する頂上部が、第一環状体の背面側から前面側に挿通された状態で、第一環状体の鋭角を構成する頂上部よりも正面側で脱着可能に係合されることを特徴とする。
【００１６】
また、本発明のストラップは、上述のいずれかに記載の宝飾体を備えることを特徴とする。
【００１７】
また、本発明の身体装飾具は、上述のいずれか一項に記載の宝飾体を備えることを特徴とする。
【００１８】
また、本発明の宝飾体は、誕生日石の少なくとも一つと、誕生日石の該当日に対応する誕生石の少なくとも一つと、誕生日石の該当日に対応する星座石の少なくとも一つと、を含むことを特徴とする。
【発明の効果】
【００１９】
容易な構成で簡易に立体的に組み立て可能な宝飾体とその宝飾体を用いたストラップ等を提供できる。
【図面の簡単な説明】
【００２０】
【図１】月ごとの誕生石一覧を説明する図である。
【図２】１月の誕生日石を説明する図である。
【図３】２月の誕生日石を説明する図である。
【図４】３月の誕生日石を説明する図である。
【図５】４月の誕生日石を説明する図である。
【図６】５月の誕生日石を説明する図である。
【図７】６月の誕生日石を説明する図である。
【図８】７月の誕生日石を説明する図である。
【図９】８月の誕生日石を説明する図である。
【図１０】９月の誕生日石を説明する図である。
【図１１】１０月の誕生日石を説明する図である。
【図１２】１１月の誕生日石を説明する図である。
【図１３】１２月の誕生日石を説明する図である。
【図１４】星座石を説明する図である。
【図１５】星座石を説明する図である。
【図１６】実施形態の宝飾体を説明する正面図である。
【図１７】実施形態の宝飾体を説明する背面図である。
【図１８】実施形態の宝飾体を説明する平面図である。
【図１９】実施形態の宝飾体を説明する底面図である。
【図２０】実施形態の宝飾体を説明する右側面図である。
【図２１】実施形態の宝飾体を説明する左側面図である。
【図２２】実施形態の宝飾体を説明する斜視図である。
【発明を実施するための形態】
【００２１】
図１６は、実施形態の宝飾体を説明する正面図であり、図１７は実施形態の宝飾体を説明する背面図であり、図１８は実施形態の宝飾体を説明する平面図であり、図１９は実施形態の宝飾体を説明する底面図であり、図２０は実施形態の宝飾体を説明する右側面図であり、図２１は実施形態の宝飾体を説明する左側面図であり、図２２は実施形態の宝飾体を説明する斜視図である。図１６〜図２２おいては、宝飾体を携帯ストラップとして構成した例を示している。
【００２２】
図１６乃至図２２から理解できるように、本実施形態の宝飾体は、月ごとの誕生石を含む複数の石を糸で数珠状に繋いで構成された比較的小さな第一環状体を備える。また、本実施形態の宝飾体は、日ごとの誕生日石と星座石とを含む複数の石を糸で数珠状に繋いで構成された比較的大きな第二環状体を備える。数珠状に繋ぐ糸は、木綿やナイロン等の糸に限定されることはなく、ワイヤー等を用いることが可能であり、その他の係合部材を使用してもよい。
【００２３】
また、第一環状体と第二環状体とは、正面視において、いずれもいわゆる涙滴型（ティアドロップ型）をしている。また、第一環状体と第二環状体とは、いずれも涙滴型の鋭角を構成する頂上部で、同一の係合リングに係合されている。また、第二環状体は、第一環状体の背面側から正面側へと頂上部を挿通させた状態で、第二環状体の頂上部が第一環状体の頂上部より正面側、かつ、さらに好ましくは下方となるように係合される。
【００２４】
また、このように第二環状体の鋭角を構成する頂上部が、第一環状体の背面側から前面側に挿通された状態で、第一環状体の鋭角を構成する頂上部よりも正面側で係合される構成とすることにより、第一環状体の頂上部でつり下げた場合に第二環状体の底部等が例えば人体等に点接触することとなるので、宝飾体全体が平面的に人体等に接触することを回避して衛生的であるとともに、宝飾体を立体的にボリューム感を持たせて視覚させることが可能となる。また、第二環状体の鋭角を構成する頂上部が、第一環状体の背面側から前面側に挿通された状態で、第一環状体の鋭角を構成する頂上部よりも下方で係合される構成とすることにより、第二環状体の底部が、第一環状体からさらに離間した配置構成となるので、さらに立体感が際立つ宝飾体とでき、これに基づく種々の作用効果をより確実に奏することが可能となる。
【００２５】
また、第二環状体の底部等が例えば人体等に点接触することにより、宝飾体の他の部位の人体等への接触を抑制するので、宝飾体の他の部位の摩耗や劣化を防止し、例えば汗や化粧等の付着に基づく化学反応等による光沢の損失等をも防止し、宝飾体本来の輝きや色合いを長期間保持することが可能となる。
【００２６】
また、ネックレス等として使用する場合にも、第二環状体の底部等が点接触するだけであるので、衣服や人体に対する接触による影響を最少限に抑制できることとなる。例えば、宝飾体と衣服の接触による衣服の摩耗や化学変化等（色落ち等）の劣化や、宝飾体と人体との接触によるアレルギーの発生や皮膚炎等の発生を抑制することが可能である。
【００２７】
また、上述のように立体的に構成することにより、宝飾体が占める空間を大きく保持することができるので、風通しがよくなり清潔に使用することができる。またさらに好ましくは、第一環状体と第二環状体との交点を含むそれより上部側において、第一環状体と第二環状体とのいずれもが透明のクリスタル（水晶）のビーズのみを使用することにより、宝飾体全体としての輝きをより確かなものとすることができ、例えば底部等に配置される誕生石等のビーズの種類や光沢等に拘わらず、際だった美観やコントラスト等を呈することが可能である。また、この場合に、透明のクリスタル（水晶）のビーズの形状は、ラウンドカットであることがさらに好ましい。
【００２８】
ここで、誕生石と、誕生日石と、星座石とについてさらに詳細に説明する。誕生石と、誕生日石と、星座石とを含む宝飾体を構成することにより、個人個人の誕生日によりきめ細かく対応した個別の宝飾体とすることができるので、オーダーメイドのオリジナリティがさらに高まることが期待されて、これを使用する個人の満足度もさらに高いものとなることが期待できる。
【００２９】
誕生石とは、１月から１２月までの各月ごとに割り当てられ紐付けられた石であり、例えば１月生まれの場合には、１月の誕生石としてガーネットとローズ・クォーツとヒヤシンスが誕生石となる。また、２月生まれの場合には、２月の誕生石としてアメシストとオニキスが誕生石となる。
【００３０】
また、例えば３月生まれの場合には、３月の誕生石としてアクアマリンとブラッドストーンとルビーとさんごが誕生石となる。また、４月生まれの場合には、４月の誕生石としてダイヤモンドとロック・クリスタルとサファイアとジルコンが誕生石となる。
【００３１】
また、例えば５月生まれの場合には、５月の誕生石としてエメラルドとクリソプレーズとトルマリンとベリルと翡翠が誕生石となる。また、６月生まれの場合には、６月の誕生石としてムーンストーンとパールとホワイト・カルセドニーとアレキサンドライトとカメオが誕生石となる。
【００３２】
また、例えば７月生まれの場合には、７月の誕生石としてルビーとアレキサンドライトとカーネリアンが誕生石となる。また、８月生まれの場合には、８月の誕生石としてペリドットとサードニクスとオニキスとアベンチュリンとかんらん石が誕生石となる。
【００３３】
また、例えば９月生まれの場合には、９月の誕生石としてサファイアとラビス・ラズリとサードニクスとペリドットが誕生石となる。また、１０月生まれの場合には、１０月の誕生石としてオパールとトルマリンとタイガー・アイとアクアマリンが誕生石となる。
【００３４】
また、例えば１１月生まれの場合には、１１月の誕生石としてトパーズとシトリンとタイガー・アイが誕生石となる。また、１２月生まれの場合には、１２月の誕生石としてターコイスとラビス・ラズリとジルコンとタンザナイトとオニキスとマラカイトとクリソプレーズが誕生石となる。図１は、月ごとの誕生石一覧を説明する図である。
【００３５】
また、誕生日石とは、１年の３６６日（閏年の場合）の各日毎に割り当てられ紐付けされた石であり、例えば１月であれば、１月１日は琅かん（「かん」は「王」へんに「干」）（上質な翡翠）と白翡翠であり、１月２日はランドスケープ・アゲートとカンゴームであり、１月３日はトパゾライトとハイパーシーンであり、１月４日はクリソコーラ原石とホワイト・パールであり、１月５日はジルコンと黒翡翠であり、１月６日はスター・ガーネットとチベット・アゲートであり、１月７日はアンモライトとゼオライトであり、１月８日はグリーン・トルマリンとレインボー・オブシディアンであり、１月９日は透明グロシュラライト・ガーネットとホワイト・コーラルであり、１月１０日は金とカラーレス・トパーズであり、１月１１日はヘマタイト原石とシャーマナイトであり、１月１２日はガラス（ゴールド・ストーン）とホワイト・シェルであり、１月１３日はロードナイト原石とブラック・スピネルであり、１月１４日はライス・パールとテクタイトであり、１月１５日はインド・スター・ルビーとトルマリン・クォーツであり、１月１６日はブルー・ムーンストーンとホワイト・オパールであり、１月１７日は不透明琥珀とブラック・オニキスであり、１月１８日はローゼライトとミルキー・クォーツであり、１月１９日はビックスバイトとハウライトであり、１月２０日はスノーフレーク・オブシディアンとブラック・スター・サファイアであり、１月２１日はピーコック・カラー・オパールとブラック・オパールであり、１月２２日はスター・ベリルとホワイト・オニキスであり、１月２３日はアレキタイプ・ガーネットとホワイト・ジェードであり、１月２４日はミルキー・クォーツとブラック・パールであり、１月２５日はサードオニキスとロイヤルブルー・ムーンストーンであり、１月２６日はパイロープ・ガーネットとムーン・クォーツであり、１月２７日はアルマンダイン・ガーネット原石（母岩付）とキュービックジルコニア・クリアであり、１月２８日はピンク・トパーズとホワイト・ラブラドライトであり、１月２９日はクリスタル・クォーツとスキャポライト・キャッツアイであり、１月３０日はパーティー・カラード・フルオーライトとホワイト・カルセドニーであり、１月３１日はクリソベリル・アレキサンドライト・キャッツ・アイとブラック・スター・ダイオプサイドである。図２は、１月の誕生日石を説明する図である。
【００３６】
また、２月であれば、２月１日はユーレックサイトとホークス・アイ・クォーツであり、２月２日はドロップ・パールとブルー・ピーターサイトであり、２月３日はガーネット結晶とソーダライトであり、２月４日はバイカラー・アメシストとブルー・フラッシュ・クリスタルであり、２月５日は梅花石とカイヤナイトであり、２月６日はスター・グレー・サファイアとブルー・パールであり、２月７日はカンゴーム（黒水晶）とブルー・ジェードであり、２月８日はルチルレイテッド・クォーツとブルー・オパールであり、２月９日はレッド・ジャスパーとデュモルチェライトであり、２月１０日はタイガー・アイ・クォーツ（赤）とブルー・スター・サファイアであり、２月１１日はウォーター・ウォーン（さざれ石）とネイビー・パールであり、２月１２日はイエロー・スピネルとブルーベリー・クォーツであり、２月１３日はバイカラー・フルオーライトとエンジェライトであり、２月１４日はピンク・オパールとブルー・アパタイトであり、２月１５日はピンク・ジルコンとブルー・アパタイト・キャッツアイであり、２月１６日はオレンジ・トルマリンとアイオライトであり、２月１７日はタイガー・アイアンとラピス・ラズリであり、２月１８日はオレンジ・トパーズとアジュライトであり、２月１９日はウォーター・ドロップ・クォーツとブルー・アゲートであり、２月２０日はオニキス（白＆茶）とスイスブルー・トパーズであり、２月２１日は角（ホーン）とフラッシュ・ブルー・アゲートであり、２月２２日はクォーツ・キャッツ・アイとロンドンブルー・トパーズであり、２月２３日はルビーとクリソコーラであり、２月２４日はホワイト・パールとブルー・サファイアであり、２月２５日はファントム・アメシストとクォンタムクアトロシリカであり、２月２６日はイーグル・ストーンとブルー・タイガーアイであり、２月２７日はアメシスト＆シトリンとコスモオーラであり、２月２８日はコーラル（ムシクイ珊瑚）とブルー・カルセドニーであり、２月２９月はペリドットを含む隕石とブルー・スター・サファイアである。図３は、２月の誕生日石を説明する図である。
【００３７】
また、３月であれば、３月１日はフルオーライト原石とラブラドライトであり、３月２日はシェル・オパールとボツワナ・アゲート（グレー）であり、３月３日はモルガナイトとマーカサイトであり、３月４日はシルバー（銀）とスノーフレーク・オブシディアンであり、３月５日はブルー・サファイアとシルバーリーフ・ジャスパーであり、３月６日は虫入り琥珀とイーグル・ストーンであり、３月７日はアクロアイトとフラッシュ・ホワイトカルセドニーであり、３月８日はアメシスト原石とヘマタイトであり、３月９日はシルバー・パール（真珠）とシルバー・パールであり、３月１０日は真鍮とグレー・ムーンストーンであり、３月１１日はイネサイトとグレー・クォーツであり、３月１２日はアクアマリン原石とスモーキー・クォーツであり、３月１３日はイエロー・ダイヤモンドとシルバー・ハートであり、３月１４日はカラーレス・スピネルとシルバーフラッシュ・クラッククリスタルであり、３月１５日はオレンジ・ムーンストーンとラルビカイトであり、３月１６日はローズ・クォーツとグレー・オニキスであり、３月１７日はエメラルドとシルバー・ケシパールであり、３月１８日はエマイユ（七宝）とマグネサイトであり、３月１９日はバイカラー・クォーツとシルバーフラッシュ・クリスタルであり、３月２０日はドラゴン・パールとシリマナイト・キャッツアイであり、３月２１日はアイアン（鉄）とグレー・カルセドニーであり、３月２２日はソグディアナイトとシルバー（銀）であり、３月２３日はピクチャード・ジャスパーとフラッシュ・グレーオニキスであり、３月２４日はグリーン・アベンチュリン・クォーツの勾玉とメテオライトであり、３月２５日はピンク・ジルコンとホワイトライトグレー・フェルスパーであり、３月２６日はプラチナ原石とシルバーフラッシュ・クリスタルであり、３月２７日はパープル・ジルコンとフロスト・ヘマタイトであり、３月２８日はピンク・ゴールド（濃）とパイライト（グレー）であり、３月２９日はマーキス・カットのダイヤモンドと銀の薔薇（シルバー・フラワー）であり、３月３０日はエンジェル・スキン・コーラルとファイブロライト・キャッツ・アイであり、３月３１日はイエロー・オーソクレーズとクラック・スモーキー・クォーツである。図４は、３月の誕生日石を説明する図である。
【００３８】
また、４月であれば、４月１日はパイライトとレモン・クォーツであり、４月２日はセミバロック・パールとタイガー・アイであり、４月３日はスリー・ゴールドとイエロー・オパールであり、４月４日はクリソコーラ（カット）とアンバー（イエロー）であり、４月５日はカラーレス・サファイアとアラゴナイトであり、４月６日はブルー・ダイヤモンドとイエロー（ゴールデン）フローライトであり、４月７日はエッグ・パールとヘリオドールであり、４月８日はパパラチヤ・サファイアとイエロー・シェルであり、４月９日は桜石とイエロー・カルサイトであり、４月１０日はカラーレス・ジルコンとルチル・クォーツであり、４月１１日はオニキス（黒＆白）とシャンパン・クォーツであり、４月１２日はピンク・フルオーライトとイエロー・パールであり、４月１３日はバイオレット・パールとイエロー・スキャポライトであり、４月１４日はカラーレス・トパーズとゴールデンオーラであり、４月１５日は真円真珠とシトリンであり、４月１６日はヒデナイトとレモン×スモーキー・クォーツであり、４月１７日はグリーン・スピネルとイエロー・クォーツであり、４月１８日はプリティ・レッド・ゴールドとイエロー・タイガーアイであり、４月１９日はバイオレット・ジルコンとキュービックジルコニア・イエローであり、４月２０日はジェダイト（ひすい）とゴールデン・フローライトであり、４月２１日はアンダリューサイトとレモン・クリソプレーズであり、４月２２日はカメオとイエロー・アパタイトであり、４月２３日は砂漠のバラとイエロー・トルマリンであり、４月２４日はクンツァイトとビア・クォーツであり、４月２５日はグリーン・ガーネットとイエロー・スモーキー・クォーツであり、４月２６日はアメシスト（紫＆緑の縞目模様）とゴールデン・パイライトであり、４月２７日はカーネリアンとフロスト・イエロージェードであり、４月２８日はキンバーライト（ダイヤモンド母岩）とゴールデン・タイガーアイであり、４月２９日はヒデナイトとイエロー・ジェードであり、４月３０日はファイブロライト・キャッツ・アイとアメトリンである。図５は、４月の誕生日石を説明する図である。
【００３９】
また、５月であれば、５月１日はアマゾナイトとピンク・アメシストであり、５月２日はイエロー・ベリル原石とパープル・ジェードであり、５月３日はグリーン・ジルコンとパープルホワイト・フローライトであり、５月４日はペリドット原石とレピドライトであり、５月５日はレッド・コーラル（赤珊瑚）とスギライトであり、５月６日はアイドクレースとラベンダー・アメシストであり、５月７日はホワイト・ゴールドとアメシスト×スモーキー×クリスタル・クォーツ（天然の一つの石の中にアメシストとスモーキー・クォーツとクリスタル・クォーツとが含まれている石：「×」の企図は以下同様）であり、５月８日はエメラルド・キャッツ・アイとパープルフラッシュ・クリスタルであり、５月９日はブラック・パール（黒真珠）とスコロライトであり、５月１０日はトルコ石原石とアメトリンであり、５月１１日はレース・アゲートとパープル・フローライトであり、５月１２日はカコクセナイトとライトカラー・アメシストであり、５月１３日はアイボリー（象牙）とキュービックジルコニア・パープルであり、５月１４日はブルーグリーン・ジルコンとアメシスト×クリスタルであり、５月１５日はレッド・ジェダイト（赤色翡翠）とラベンダー翡翠であり、５月１６日はモルダバイトのカメオとクラック・アメシストであり、５月１７日はパープル・サファイアとフォスフォシデライトであり、５月１８日はゴシェナイトとストライプ・アメシストであり、５月１９日はラピス・ラズリ原石とパープルカラー・クラッククリスタルであり、５月２０日はグリーン・ゴールドとエレスチャル・クォーツであり、５月２１日はツイン・パールとラベンダー・ケシパールであり、５月２２日はデンドリテック・クォーツとホワイト×パープルカラー・アメシストであり、５月２３日はレインボー・ガーネット原石とラベンダー・ジェードであり、５月２４日はホワイト・ムーンストーンとパープル・シェルであり、５月２５日はブルー・アンバーとローズ・アメシストであり、５月２６日は銅とパープル×ホワイトカラー・フローライトであり、５月２７日はグリーン・トルマリンとアメシスト×スモーキー・クォーツであり、５月２８日はホワイト・カルセドニーとスコロライトであり、５月２９日はグリーン・グロシュラライト・ガーネットとティファニー・ストーンであり、５月３０日はツァボライトとスーパーセブンであり、５月３１日はスモーキー・クォーツ原石とレピドライト×ピンク・トルマリンである。図６は、５月の誕生日石を説明する図である。
【００４０】
また、６月であれば、６月１日はアレキサンドライン・サファイアとスター・ローズ・クォーツであり、６月２日はアンバー（透明）とピンク・カルセドニーであり、６月３日は逆四分ゴールドとピンク・パールであり、６月４日はオドントライトとキュービックジルコニア・ピンクであり、６月５日はクリソベリル・アレキサンドライトとピンク・ジェードであり、６月６日はトルマリンレイテッド・クォーツ（原石）とピンク・アベンチュリンであり、６月７日はピンク・パールとピンク・コーラルであり、６月８日はレイン状インクルージョン内包アクアマリンとピンク・オパールであり、６月９日はバロック・パールとフラッシュ・ローズ・クォーツであり、６月１０日はクォーツ原石とモルガナイトであり、６月１１日はホワイト・ラブラドライトとピンク・アメシストであり、６月１２日はマベ・パールとピンク・トパーズであり、６月１３日はウンバライト（マラヤ・ガーネット）とピンク・クォーツであり、６月１４日はフラッグ・インクルージョン内包エメラルドとロードナイトであり、６月１５日はサードオニキスのカメオとピンクカラー・タイガーアイであり、６月１６日はブルー・オパールとシリシャシストであり、６月１７日はカボッションカットのアメシストとクィーンコンクシェルであり、６月１８日はゴールド・ナゲットとローズ・クォーツであり、６月１９日はベール状液体インクルージョン内包サファイアとピンク・フローライトであり、６月２０日はグリーン・フルオーライトとピンク・ソープストーンであり、６月２１日はサーペンティンとピンクフラッシュ・グレーオニキスであり、６月２２日はサンストーンとマンガン・カルサイトであり、６月２３日はルビー・イン・ゾイサイト（アニョライト）とクンツァイトであり、６月２４日はウォーター・オパールとピンク・エピドートであり、６月２５日はマラカイト原石とピンク・サファイアであり、６月２６日はスペサルタイト・ガーネットとピンク・シェルであり、６月２７日はマルチカラー・トルマリンとピンク・ケシパールであり、６月２８日はブルー・ジルコンとロードクロサイトであり、６月２９日はジャスパーとフラッシュ・ピンクカラー・クラッククリスタルであり、６月３０日はユーレックサイト・キャッツ・アイとピンク・トルマリンである。図７は、６月の誕生日石を説明する図である。
【００４１】
また、７月であれば、７月１日はアクアマリンとアマゾナイトであり、７月２日はバリスサイトとブルー・カルセドニーであり、７月３日はロック・クリスタルとブルー・ターコイスであり、７月４日はスター・ダイオプサイドとブルー・アパタイトであり、７月５日はプラチナとアクアマリンであり、７月６日はオブシディアン（インディアンの涙）とエンジェライトであり、７月７日はスター・ローズ・クォーツとクォンタムクアトロシリカであり、７月８日はミルキー・オパールとブルー・フローライトであり、７月９日はテーパー・バゲッド・カット・ダイヤモンドとアクアオーラであり、７月１０日はカリフォルニアン・アイリスとラリマーであり、７月１１日は半円真珠とソーダライトであり、７月１２日はビキシバイトとブルー・オニキスであり、７月１３日はクリソベリル結晶とブルー・カルサイトであり、７月１４日はスリーカラー・フルオーライトとブルーレース・カルセドニーであり、７月１５日は仏像真珠とセレスタイトであり、７月１６日はアジュライトとブルー・オパールであり、７月１７日は砂金とフラッシュ・ブルー・アゲートであり、７月１８日はレインボー・ムーンストーンとアイオライトであり、７月１９日はロードクロサイト（透明）とレインボー・ムーンストーンであり、７月２０日はアクアマリン・キャッツ・アイとスカイブルー・トパーズであり、７月２１日はモス・アゲートとブルー・アゲートであり、７月２２日は黒勾玉とブルー・サファイアであり、７月２３日はウォーターメロン・トルマリンとキュービックジルコニア・ブルーであり、７月２４日は犬の歯形の真珠とブルー・フラッシュ・クリスタルであり、７月２５日はシェル（貝）とブルー・ムーンストーンであり、７月２６日は枝珊瑚とスリーピングビューティー・ターコイスであり、７月２７日はメレー・ダイヤモンドとクリソコーラであり、７月２８日は涙型液体インクルージョン内包赤色スピネルとブルー・ジェードであり、７月２９日はブラック・オパールとシーブルー・カルセドニーであり、７月３０日はヘリオドールとカイヤナイトであり、７月３１日はレッド・ジルコンとスイスブルー・トパーズである。図８は、７月の誕生日石を説明する図である。
【００４２】
また、８月であれば、８月１日はシトリンとペリドットであり、８月２日はブルー・クォーツの勾玉とプレーナイトであり、８月３日はクリソベリル・キャッツ・アイとグリーン・アメシストであり、８月４日はピンク・ゴールド（淡）とネフライトであり、８月５日はサンストーン原石とグリーン・フローライトであり、８月６日はダークグリーン・ジルコンとブラッドストーンであり、８月７日はイエロー・アパタイトとサーペンテイン（ライムグリーン）であり、８月８日はラウンド・カットのダイヤモンドとルビー・イン・フックサイトであり、８月９日はイエロー・ゴールドとセラフィナイトであり、８月１０日はアイオライトとグリーン・トルマリン・キャッツアイであり、８月１１日はイエロー・サファイアとターコイスであり、８月１２日はコンシャ・アゲートとキュービックジルコニア・グリーンであり、８月１３日はイエロー・ジルコンとグリーン・タイガーアイであり、８月１４日はファイアー・オパールとアマゾナイトであり、８月１５日はビーズ（ブラック・オニキス）とエメラルドであり、８月１６日はラブラドライトとアジュライト（アジュールマラカイト）であり、８月１７日はパイライト（カボッションカット）とグリーン・オニキスであり、８月１８日はフレッシュ・ウォーター・パール（淡水真珠）とクリソコーラであり、８月１９日はイエロー・カルサイトの勾玉とグリーン・アベンチュリンであり、８月２０日はスター・ルビーとジェダイトであり、８月２１日はジェットとドラゴンブラッド・ジャスパーであり、８月２２日はホワイト・コーラル（白珊瑚）とグリーン・アンバーであり、８月２３日はブルナイトとバリサイトであり、８月２４日はラァーバとルビー・イン・ゾイサイトであり、８月２５日はファイアー・アゲートとグリーン・ベリルであり、８月２６日はトルコ石とマラカイトであり、８月２７日はアパタイト・キャッツ・アイとグリーン・オパールであり、８月２８日はモモ珊瑚とダイオプサイドであり、８月２９日はグリーンド・アメシストとクリソプレーズであり、８月３０日はトンボ玉とネフライト・キャッツ・アイであり、８月３１日はモス・アゲートとグリーン・フェルスパーである。図９は、８月の誕生日石を説明する図である。
【００４３】
また、９月であれば、９月１日はタンザナイトとオレンジ・フローライトであり、９月２日はグレー・セミバロック・パールとオレンジ・アベンチュリンであり、９月３日はダイヤモンド原石とゴールデン・パイライトであり、９月４日はべっ甲とオレンジ・アゲートであり、９月５日はゴールデン・パールとルチル・クォーツであり、９月６日は勾玉とファイアー・アゲートであり、９月７日はヘソナイト・ガーネット原石とオレンジ・パールであり、９月８日は真珠とゴールデンシャイン・オブシディアンであり、９月９日は菊花石とオーソクレース・クォーツであり、９月１０日はトレモライト・インクルージョン内包エメラルドとサンストーンであり、９月１１日はレインボー・フルオーライトとゴールデン・タイガーアイであり、９月１２日はペリドットとキュービックジルコニア・オレンジであり、９月１３日はゴールデン・ベリルとマンダリン・ガーネットであり、９月１４日はブラッドストーンとオレンジ・ケシパールであり、９月１５日はパライバ・トルマリンとマイカサンストーンであり、９月１６日はプレーナイトとゴールデン・クォーツであり、９月１７日はダイオプテーズとオレンジ・フラッシュクリスタルであり、９月１８日はマンダリン・ガーネットとカーネリアン・サードニクスであり、９月１９日はラピス・ラズリとオレンジ・カルサイトであり、９月２０日はブルー・スピネルとゴールデンシャイン・フェルスパーであり、９月２１日はフェザー状インクルージョン内包エメラルド結晶とオレンジ・ジェードであり、９月２２日はオールカラー・ジルコンとヘマタイト・クォーツであり、９月２３日はアメトリンとグリーンゴールド・クォーツであり、９月２４日はデマントイド・ガーネットとパイライト・イン・クォーツであり、９月２５日はバイカラー・トルマリンとオレンジ・ムーンストーンであり、９月２６日はハートと矢を示すダイヤモンドとファイアー・オパールであり、９月２７日はフィンガープリント・インクルージョン内包サファイアとカーネリアンであり、９月２８日はアメシスト・クォーツとバルティック・アンバーであり、９月２９日はトパーズとインペリアル・トパーズであり、９月３０日はブルー・スター・サファイアとゴールデン・フローライトである。図１０は、９月の誕生日石を説明する図である。
【００４４】
また、１０月であれば、１０月１日はパーティ・カラード・トルマリンとスモーキー・クォーツであり、１０月２日はクォーツとサードニクス・アゲートであり、１０月３日はマルク（ダイヤモンド原石）とタイガー・アイアンであり、１０月４日はファイアー・アゲート原石とブロンザイトであり、１０月５日はキャッツ・アイ石とアンダリューサイトであり、１０月６日はクリソプレーズとフォシル・コーラルであり、１０月７日はロードナイトとブラウン・カルサイトであり、１０月８日はブルー・カルセドニーとカプチーノ・ジャスパーであり、１０月９日はブルー・オニキスとドラゴン・アゲートであり、１０月１０日はトルマリン・キャッツ・アイとブランデー・クォーツであり、１０月１１日はロードライト・ガーネットとピクチャー・ジャスパーであり、１０月１２日はピンク・サファイアとエクロジャイトであり、１０月１３日はヘマタイトとブラウン・パールであり、１０月１４日はトラピッチェ・エメラルドとピーターサイトであり、１０月１５日はグリーン・アベンチュリン・クォーツとシャンパンオーラであり、１０月１６日はめのうとアンバーであり、１０月１７日はゴールデン・コイン（金貨）とマザーオブパール（ベージュ・ブラウン）であり、１０月１８日はブルー・アゲートとスキャポライト・キャッツアイであり、１０月１９日はスカラベとシャンパンカラー・クォーツであり、１０月２０日はトルコ石（ビーズ）とルチル・クォーツ（ブラウン）であり、１０月２１日はトルマリン原石とインプレッションストーンであり、１０月２２日は八面体結晶のダイヤモンドとブラウン・ムーンストーンであり、１０月２３日はウォーターリリー・リーフ・インクルージョン内包ペリドットとボツワナ・アゲートであり、１０月２４日はインディゴライトとアフリカン・オパールであり、１０月２５日はレッド・スピネルとスーパーセブンであり、１０月２６日はタイガー・アイ・クォーツとキュービックジルコニア・ブラウンであり、１０月２７日はラビス・ラズリとパイライト・イン・クォーツであり、１０月２８日はヘキサゴンを示すサファイアとガーデン・クォーツであり、１０月２９日はクモの巣トルコ石とオーシャン・アゲートであり、１０月３０日はピンファイア・オパールとゴールデンシャイン・ブラウン・フェルスパーであり、１０月３１日はホークス・アイ・クォーツ（ファルコンズ・アイ・クォーツ）とシリマナイト・キャッツアイである。図１１は、１０月の誕生日石を説明する図である。
【００４５】
１１月１日はバラク（アルマンダイン・ガーネット）とチャロアイトであり、１１月２日はブラック・オニキスとアメシスト×スモーキー×クリスタル・クォーツであり、１１月３日はゴールデン・サファイアとパープル・フローライトであり、１１月４日はセプター・クォーツ（松茸水晶）とフォスフォシデライトであり、１１月５日はネフライト・キャッツ・アイとアメシストであり、１１月６日はチェーン（鎖）とパープルフラッシュ・クリスタルであり、１１月７日はアンバー（琥珀）とクラック・アメシストであり、１１月８日はレッド・トパーズとパープル・ジェードであり、１１月９日はタートイス・シェル（べっ甲）とパープルカラー・クラッククリスタルであり、１１月１０日は化石とパープルカラー・タイガーアイであり、１１月１１日は１ｃｔのダイヤモンドとパープライトであり、１１月１２日はバイオレット・サファイアとラベンダー・アメシストであり、１１月１３日は母岩付オパールとフラッシュパープルカラー・クラッククリスタルであり、１１月１４日はラベンダー・ジェード（紫翡翠）とレピドライトであり、１１月１５日はレッド・コーラル（赤珊瑚）とアメトリンであり、１１月１６日はアンモナイトとティファニー・ストーンであり、１１月１７日はグリーン・アベンチュリン・クォーツの勾玉とスター・ルビーであり、１１月１８日はあめ甲（べっ甲）とアメシスト×クリスタル・クォーツであり、１１月１９日はブルー・トパーズとストライプ・アメシストであり、１１月２０日はヘソナイト・ガーネットとエレスチャル・クォーツであり、１１月２１日はメテオライト（隕石）とキュービックジルコニア・パープルであり、１１月２２日はイエロー・オパールとスコロライトであり、１１月２３日はケシ・パールとパープル・フローライトであり、１１月２４日はピンク・コバルトカルサイトとパープルカラー・アゲートであり、１１月２５日はレッド・アンバー（赤色琥珀）とスギライトであり、１１月２６日はスカポライトとホワイト×パープルカラー・アメシストであり、１１月２７日は真珠母貝とパープルカラー・ジェードであり、１１月２８日はオレンジッシュ・ブラウン・トパーズとスーパーセブンであり、１１月２９日はアレキ型トルマリンとアメシスト×スモーキー・クォーツであり、１１月３０日は十字スター石とパープルホワイト・フローライトである。図１２は、１１月の誕生日石を説明する図である。
【００４６】
また、１２月であれば、１２月１日はアイアン・オパールとマイカサンストーンであり、１２月２日はブラック・コーラル（黒珊瑚）とレッド・アンバーであり、１２月３日はホワイト・ジェダイトとルビーであり、１２月４日はソーダライトとガーネットであり、１２月５日はエンジェライトとピンク・エピドートであり、１２月６日はパイライト原石とレッド・ジャスパーであり、１２月７日はヘキサゴナルを示すルビー原石とシリシャスシストであり、１２月８日はトルマリンレイテッド・クォーツ（針入水晶）とファイアー・アゲートであり、１２月９日はスモーキー・クォーツとレッド・タイガーアイであり、１２月１０日はパーティー・カラード・フルオーライトとスター・ルビーであり、１２月１１日はエメラルド（球）とレッド・クォーツ（レッド・ヘマタイト・クォーツ）であり、１２月１２日はソフトピンク・ジルコンとアフリカンレッド・アベンチュリンであり、１２月１３日はネフライトとレッド・ルチルクォーツであり、１２月１４日はピンク・サファイアとレッド・ジェードであり、１２月１５日はルビー結晶とゴールデンフラッシュ・カーネリアンであり、１２月１６日はアジュールマラカイトとポピー・ジャスパーであり、１２月１７日はスペクトロライトとモスコバイトであり、１２月１８日はサテン仕上げリングとキュービックジルコニア・レッドであり、１２月１９日はホワイト・オパールとレッド・コーラルであり、１２月２０日はシルバー・バロック・パールとカーネリアン・サードニクスであり、１２月２１日はブラック・ムーンストーンとレッド・アゲートであり、１２月２２日はオールカラー・トルマリンとカーネリアンであり、１２月２３日はオレンジ・ジェードとレッド・ゼブラジャスパーであり、１２月２４日はトリカラー・トルマリンとアンデシンであり、１２月２５日はキャストライトとスター・ガーネットであり、１２月２６日はダイヤモンド原石とゴールデンフラッシュ・サードニクスであり、１２月２７日はクロス・パールとサンストーンであり、１２月２８日はロードクロサイトとレピドクロサイト・イン・クォーツであり、１２月２９日はトルコ石のスカラベとレッド・ピクチャージャスパーであり、１２月３０日はモルダバイトとファイアー・オパールであり、１２月３１日はマーカサイトとレッド・ファントムクォーツである。図１３は、１２月の誕生日石を説明する図である。
【００４７】
また、星座石とは、誕生日で区分された星座ごとに割り当てられた石であり、山羊座（１２月２２日〜１月２０日）であれば、ターコイスとガーネットとアクアマリンとエメラルドとサファイアとオニキスとアメシストとパールとアンバーとオブシディアンとローズ・クォーツとモルガナイトとルビーとスモーキー・クォーツとサンストーンとフローライトとアゲートとカーネリアンとヘマタイトとアラゴナイトとが星座石となる。
【００４８】
また、水瓶座（１月２１日〜２月１８日）であれば、アメシストとサファイアとラピス・ラズリとアクアマリンとオニキスとシトリンとペリドットとオパールとひすいとオブシディアンとターコイスとアレキサンドライトとトルマリンとヘマタイトとガーネットとムーンストーンとクリスタル・クォーツとアンバーとスモーキー・クォーツとフローライトとジルコンとエンジェライトとセレスタイトとラブラドライトとモス・アゲートとが星座石となる。
【００４９】
また、魚座（２月１９日〜３月２０日）であれば、アクアマリンとひすいとダイヤモンドとアメシストとムーンストーンとガーネットとクリスタル・クォーツとエメラルドとパールとブラッドストーンとルビーとオパールとスギライトとマラカイトとペリドットとタンザナイトとターコイスとトルマリンとブルーレース・アゲートとロック・クリスタルとベリルとが星座石となる。
【００５０】
また、牡羊座（３月２１日〜４月１９日）であれば、ルビーとガーネットとダイヤモンドとロードクロサイトとカーネリアンとブラッドストーンとトパーズとサファイアとターコイスとタイガー・アイとアンバーとレッド・ジャスパーとコーラルとアメシストとヘマタイトとシトリンとグリーン・アベンチュリンとが星座石となる。
【００５１】
また、牡牛座（４月２０日〜５月２０日）であれば、エメラルドとサファイアとトパーズとマラカイトとコーラルとアクアマリンとひすいとグリーン・アベンチュリンとオニキスとペリドットとモルガナイトとローズ・クォーツとクリソプレーズとラピス・ラズリとクリソコーラとアゲートとトルマリンとアジュライトとアンバーとが星座石となる。
【００５２】
また、双子座（５月２１日〜６月２１日）であれば、アクアマリンとシトリンとアゲートとエメラルドとトパーズとサファイアとムーンストーンとひすいとアレキサンドライトとジヤスパーとペリドットとトルマリンとアメシストとラピス・ラズリとアイオライトとパールとクリスタル・クォーツとクリソプレーズとピクチャー・ジャスパーとアンダリューサイトとタイガー・アイとサーペンティンとルチル・クォーツとが星座石となる。
【００５３】
また、蟹座（６月２２日〜７月２２日）であれば、パールとムーンストーンとエメラルドとアクアマリンとルビーとオパールとクリスタル・クォーツとガーネットとアゲートとトパーズとサファイアとターコイスとアンバーとロードナイトとフローライトとモス・アゲートとブルーレース・アゲートとベリルとカルサイトとが星座石となる。
【００５４】
また、獅子座（７月２３日〜８月２２日）であれば、ルビーとダイヤモンドとアンバーとタイガー・アイとトパーズとターコイスとカーネリアンとサードニクスとガーネットとオニキスとブラッドストーンとシトリンとペリドットとロードクロサイトとトルマリンとクリソコーラとルチル・クォーツとが星座石となる。
【００５５】
また、乙女座（８月２３日〜９月２２日）であれば、サファイアとターコイスとカーネリアンとシトリンとサードニクスとローズ・クォーツとトパーズとエメラルドとアゲートとオニキスとアマゾナイトとアンバーとレッド・ジャスパーとスモーキー・クォーツとペリドットとダイヤモンドとガーネットとロードクロサイトとムーンストーンとオパールとトルマリンとひすいとモルガナイトとクリソコーラとジャスパーとブルー・スピネルとが星座石となる。
【００５６】
また、天秤座（９月２３日〜１０月２３日）であれば、ペリドットとオパールとトルマリンとダイヤモンドとエメラルドとサファイアとラピス・ラズリとひすいとマラカイトとシトリンとアメシストとローズ・クォーツとロードナイトとアジュライトとアレキサンドライトとアクアマリンとターコイスとカーネリアンとアメトリンとグリーン・アベンチュリンとクリソプレーズとが星座石となる。
【００５７】
また、蠍座（１０月２４日〜１１月２２日）であれば、トパーズとルビーとオパールとガーネットとサードオニキスとアクアマリンとムーンストーンとブラッドストーンとコーラルとマラカイトとカーネリアンとパールとトルマリンとクリスタル・クォーツとシトリンとオニキスとベリルとロードクロサイトとエメラルドとターコイスとオブシディアンとヘリオドールとチャロアイトとハーキマー・ダイヤモンドとが星座石となる。
【００５８】
また、射手座（１１月２３日〜１２月２１日）であれば、アメシストとトパーズとラピス・ラズリとガーネットとルビーとターコイスとダイヤモンドとブラッドストーンとタイガー・アイとアンバーとマラカイトとカーネリアンとスギライトとサファイアとアゲートとオパールとトルマリンとアジュライトとブルーレース・アゲートとラブラドライトとカルセドニーとが星座石となる。図１４と図１５とは、星座石を説明する図である。
【００５９】
上述のように、本実施形態で説明する宝飾体は、携帯ストラップのみならず、ネックレスやキーホルダー、その他の身体装飾具に好適に利用することが可能であり、使用者の誕生石と誕生日石と星座石とが含まれたその人独自の石構成とできるので、縁起物やいわゆるパワーツールとしての利用も期待できる。
【００６０】
また、上述の実施形態においては、ビーズを数珠繋ぎ構成した二つの環状体を組み合わせる宝飾体を説明したが、例えばビーズを数珠繋ぎとして直線状の宝飾体としてもよい。この場合においても、直線状の宝飾体に使用するビーズは、誕生日石の少なくとも一つと、当該誕生日石の該当日に対応する誕生石の少なくとも一つと、当該誕生日石の該当日に対応する星座石の少なくとも一つと、を含むこととできる。また、宝飾体は、直線状でなくてもよく、誕生日石の少なくとも一つと、当該誕生日石の該当日に対応する誕生石の少なくとも一つと、当該誕生日石の該当日に対応する星座石の少なくとも一つと、を含むビーズで構成された任意の形状としてもよい。
【産業上の利用可能性】
【００６１】
本発明の宝飾体は、ネックレスや腕輪、イヤリング等の身体装飾具や携帯ストラップなどの種々のストラップ等に広く適用できる。
【図１】
0005943878.tif 000002
【図２】
0005943878.tif 000003
【図３】
0005943878.tif 000004
【図４】
0005943878.tif 000005
【図５】
0005943878.tif 000006
【図６】
0005943878.tif 000007
【図７】
0005943878.tif 000008
【図８】
0005943878.tif 000009
【図９】
0005943878.tif 000010
【図１０】
0005943878.tif 000011
【図１１】
0005943878.tif 000012
【図１２】
0005943878.tif 000013
【図１３】
0005943878.tif 000014
【図１４】
0005943878.tif 000015
【図１５】
0005943878.tif 000016
【図１６】
0005943878.tif 000017
【図１７】
0005943878.tif 000018
【図１８】
0005943878.tif 000019
【図１９】
0005943878.tif 000020
【図２０】
0005943878.tif 000021
【図２１】
0005943878.tif 000022
【図２２】
0005943878.tif 000023